(57)【要約】【課題】ミストの噴出の有無に拘わらずラジオ放送または音楽等を室内の利用者に心地好く聴かせることができるオーディオ装置を備える湯水噴出システムを提供する。【解決手段】供給された温水または水をミスト状にして室内に噴出可能なミスト発生装置２と、ミスト発生装置２の動作を制御するミスト制御手段７とを備える湯水噴出システム１Ａである。さらに、室１０１内に音を出すことができるオーディオ装置２００と、オーディオ装置２００の動作を制御するオーディオ制御部２０６とを備え、オーディオ制御部２０６は、オーディオ装置２００から出される音の音量をミスト発生装置２の動作に応じて調節する。【選択図】図１５
2008002751.tif 000002
【特許請求の範囲】
【請求項１】
供給された温水または水をミスト状にして室内に噴出可能なミスト発生装置と、該ミスト発生装置の動作を制御するミスト制御手段とを備える湯水噴出システムであって、
さらに、前記室内に音を出すことができるオーディオ装置と、該オーディオ装置の動作を制御する音制御手段とを備え、
該音制御手段は、前記オーディオ装置から出される音の音量を前記ミスト発生装置の動作に応じて調節することを特徴とする湯水噴出システム。
【請求項２】
室内の空調運転を行うことができる空調装置と、該空調装置の動作を制御する空調制御手段と、運転モードの選択の操作が行われる操作手段とを備え、
前記空調制御手段および前記ミスト制御手段は、前記操作手段で選択された運転モードに合わせて前記空調装置および前記ミスト発生装置を適宜動作させ、
前記音制御手段は、運転モードに適合する前記空調装置および前記ミスト発生装置の動作に応じて、前記空調装置による空調運転での動作音および前記ミスト発生装置によるミスト噴出の噴出音を考慮して音量を調節することを特徴とする請求項１に記載の湯水噴出システム。
【請求項３】
前記音制御手段は、前記操作手段において選択された運転モードに応じて、前記空調装置による空調運転での動作音および前記ミスト発生装置によるミスト噴出の噴出音に基づいて運転モード毎に予め設定された音量から選択することにより調節を行うことを特徴とする請求項２に記載の湯水噴出システム。
【請求項４】
供給された温水または水をミスト状にして室内に噴出可能なミスト発生装置と、
該ミスト発生装置の動作を制御するミスト制御手段と、
前記室内に音を出すことができるオーディオ装置と、
該オーディオ装置の動作を制御する音制御手段と、
前記室内の空調運転を行うことができる空調装置と、
該空調装置の動作を制御する空調制御手段と、
運転モードの選択の操作が行われる操作手段とを備え、
運転モードとして、前記空調制御手段が前記空調装置に空調運転を行わせると共に前記ミスト制御手段が前記ミスト発生装置にミストの噴出を行わせるミストサウナモードが用意された湯水噴出システムであって、
前記操作手段においてミストサウナモードが選択されると、前記空調制御手段が前記空調装置に空調運転を行わせると共に前記ミスト制御手段が前記ミスト発生装置にミストの噴出を行わせ、
前記音制御手段は、前記室内がミスト浴に適した状態となると、前記室内がミスト浴に適した状態であることを知らせる音を前記オーディオ装置から出させることを特徴とする湯水噴出システム。
【発明の詳細な説明】
【技術分野】
【０００１】
本発明は、湯水または水によるミストを噴出して、浴室やシャワー室等の室内の加湿暖房を行う湯水噴出システムに関する。
【背景技術】
【０００２】
従来、暖房機による温風の吹き出しと共に、温水をミストとして浴室内に噴出して、浴室やシャワー室等の室内の加湿暖房を行うことができるミスト装置が提案されている（例えば、特許文献１参照。）。
【０００３】
このようなミスト装置を利用する際、利用者は、例えば１５〜２０分間ミストを浴びることが想定されることから、ミストを浴びている間にラジオ放送または音楽等を聴くことができれば、ミスト浴の時間をより心地好いものとすることができ、より高いリラックス効果およびリフレッシュ効果を得ることができる。
【０００４】
このため、ミスト装置が設置された浴室に、防水仕様のラジオ等を持ち込むことが考えられるが、入浴の度に防水仕様のラジオ等を持ち込むことは煩わしいことである。
【０００５】
そこで、ミスト装置が設置された浴室に別個スピーカーシステムを設けることが考えられる。
【特許文献１】特開２００２−６１８６０号公報
【発明の開示】
【発明が解決しようとする課題】
【０００６】
しかしながら、ミスト装置では、ミストの噴出に伴う噴出音が発生することから、ラジオ放送または音楽等を心地好く聴くためには、ミストの噴出の有無に応じてスピーカーシステムの音量を調節する煩わしい作業が必要となる。
【０００７】
そこで、本発明の目的は、ミストの噴出の有無に拘わらずラジオ放送または音楽等を室内の利用者に心地好く聴かせることができるオーディオ装置を備える湯水噴出システムを提供することにある。
【課題を解決するための手段】
【０００８】
上記した課題を解決するために、請求項１に記載の湯水噴出システムは、供給された温水または水をミスト状にして室内に噴出可能なミスト発生装置と、該ミスト発生装置の動作を制御するミスト制御手段とを備える湯水噴出システムであって、さらに、前記室内に音を出すことができるオーディオ装置と、該オーディオ装置の動作を制御する音制御手段とを備え、該音制御手段は、前記オーディオ装置から出される音の音量を前記ミスト発生装置の動作に応じて調節することを特徴とする。
【０００９】
請求項２に記載の湯水噴出システムは、請求項１に記載の湯水噴出システムであって、室内の空調運転を行うことができる空調装置と、該空調装置の動作を制御する空調制御手段と、運転モードの選択の操作が行われる操作手段とを備え、前記空調制御手段および前記ミスト制御手段は、前記操作手段で選択された運転モードに合わせて前記空調装置および前記ミスト発生装置を適宜動作させ、前記音制御手段は、運転モードに適合する前記空調装置および前記ミスト発生装置の動作に応じて、前記空調装置による空調運転での動作音および前記ミスト発生装置によるミスト噴出の噴出音を考慮して音量を調節することを特徴とする。
【００１０】
請求項３に記載の湯水噴出システムは、請求項２に記載の湯水噴出システムであって、前記音制御手段は、前記操作手段において選択された運転モードに応じて、前記空調装置による空調運転での動作音および前記ミスト発生装置によるミスト噴出の噴出音に基づいて運転モード毎に予め設定された音量から選択することにより調節を行うことを特徴とする。
【００１１】
請求項４に記載の湯水噴出システムは、供給された温水または水をミスト状にして室内に噴出可能なミスト発生装置と、該ミスト発生装置の動作を制御するミスト制御手段と、前記室内に音を出すことができるオーディオ装置と、該オーディオ装置の動作を制御する音制御手段と、前記室内の空調運転を行うことができる空調装置と、該空調装置の動作を制御する空調制御手段と、運転モードの選択の操作が行われる操作手段とを備え、運転モードとして、前記空調制御手段が前記空調装置に空調運転を行わせると共に前記ミスト制御手段が前記ミスト発生装置にミストの噴出を行わせるミストサウナモードが用意された湯水噴出システムであって、前記操作手段においてミストサウナモードが選択されると、前記空調制御手段が前記空調装置に空調運転を行わせると共に前記ミスト制御手段が前記ミスト発生装置にミストの噴出を行わせ、前記音制御手段は、前記室内がミスト浴に適した状態となると、前記室内がミスト浴に適した状態であることを知らせる音を前記オーディオ装置から出させることを特徴とする。
【発明の効果】
【００１２】
本発明に係る湯水噴出システムでは、オーディオ装置から出される音の音量が、ミスト装置の動作に応じて調節されることから、ミストの噴出の有無に拘わらず室内の利用者にラジオ放送または音楽等を心地好く聴かせることができる。このため、ミストを浴びている利用者へのリラックス効果およびリフレッシュ効果をより高めることができる。
【発明を実施するための最良の形態】
【００１３】
本発明の湯水噴出システムの一例である浴室空調システム１Ａを図１ないし図１５に示した実施例に沿って詳細に説明する。
【実施例】
【００１４】
＜本実施の形態の浴室空調システムの全体構成例＞
図１は、本実施の形態の浴室空調システム１Ａの一例を示す構成図である。本実施の形態の浴室空調システム１Ａは、温水を霧状のミストにして浴室１０１内に噴出するミスト発生装置２と、浴室１０１の暖房や換気等を行う浴室空調装置３と、ラジオ放送または音楽等を浴室１０１に向けて流すことができるオーディオ装置２００とを備える。
【００１５】
浴室空調システム１Ａは、ミスト発生装置２に対する温水ＨＷの供給元として、例えば自然冷媒（ＣＯ２）を利用したヒートポンプ方式の給湯装置４と組み合わせて使用される。
【００１６】
ミスト発生装置２は、ミスト生成するノズルユニット２Ａと、給湯装置４から供給される温水（水）を、ノズルユニット２Ａに供給するか排水するかを切り替える弁ユニット２Ｂを備える。ここで、ミストとは、霧や靄、さらにはシャワー等の状態を含むものである。
【００１７】
オーディオ装置２００は、スピーカー２０１と、電源入力部、チューナーおよびメインアンプ等が設けられた電源ボックス２０２とを有する。スピーカー２０１は、ノズルユニット２Ａに設けられている。電源ボックス２０２は、例えば、ラジオ放送の電波を受信して変換した信号、または後述するように主操作部６の外部入力端子（図示せず。）を介して外部音源２０３から入力された音の信号をスピーカー２０１に送信することができる。オーディオ装置２００では、電源ボックス２０２で生成された信号がスピーカー２０１から音として出される。
【００１８】
浴室空調システム１Ａは、浴室１０１に設置されたミスト操作部５と、浴室１０１に隣接した洗面脱衣所１０２に設置された主操作部６が操作されることで、ミスト発生装置２と浴室空調装置３とオーディオ装置２００とで実行される動作が選択される。
【００１９】
ミスト操作部５では、主にミスト発生装置２およびオーディオ装置２００に関する動作についての操作が行われ、入浴中等の利用者が操作することができる。また、主操作部６では、ミスト発生装置２および浴室空調装置３の動作を含めた全般の運転モードについての操作が行われ、浴室１０１に入室することなく、暖房、換気や乾燥等に関する操作が可能である。
【００２０】
浴室空調システム１Ａは、ミスト発生装置２に備えたミスト制御部７と、浴室空調装置３に備えた空調制御部８と、オーディオ装置２００に備えたオーディオ制御部２０６とに制御される。ミスト制御部７は、ミスト発生装置２の弁ユニット２Ｂを駆動して、ミストＭの噴出の有無を切り替える制御等を行う。また、空調制御部８は、浴室空調装置３を駆動して、浴室１０１から空気Ａを吸い込み、温風ＨＡあるいは送風として吹き出す制御、及び浴室１０１から吸い込んだ空気Ａを屋外へ排気する制御等を行う。オーディオ制御部２０６は、スピーカー２０１から流れているラジオ放送または音楽等の音量を、ミスト発生装置２および浴室空調装置３の動作に応じて調節する制御を行う。本実施例では、オーディオ制御部２０６は、各運転モードに応じて予め設定された音量（後述するミストサウナレベル、暖房レベル、ミストレベルおよび通常レベル。）から、実際に為されているミスト発生装置２および浴室空調装置３の動作に適合する音量を適宜選択して、音量の調節を行う。
【００２１】
そして、浴室空調システム１Ａは、ミスト操作部５あるいは主操作部６が操作されることで選択された運転モードに応じて、ミスト制御部７と空調制御部８との間で通信が行われ、浴室空調装置３単独あるいはミスト発生装置２と浴室空調装置３を連動させた制御が実行される。
【００２２】
ミスト操作部５あるいは主操作部６が操作されることで選択され、浴室空調システム１Ａで実行される運転モードとして、例えば、ミストサウナモード、暖房モードおよびミストモードが設定されている。ミストサウナモードは、ミスト発生装置２によるミストＭの噴出と、浴室空調装置３による温風ＨＡの吹き出しとを連動させて、浴室１０１内を中温高湿のミストサウナ状態とするものである。暖房モードは、浴室空調装置３による温風ＨＡの吹き出しにより浴室１０１内を中温状態とするものである。ミストモードは、ミスト発生装置２によるミストＭの噴出により浴室１０１内をミスト状態とするものである。
【００２３】
また、本実施例のミストサウナモードでは、浴室空調装置３により温風ＨＡを吹き出して浴室１０１内の温度を上昇させてから、ミスト発生装置２で所定の温度に達したミストＭの噴出を行うことで、入浴者（利用者）に冷感を与えないようにする。
【００２４】
そして、ミストサウナモードでは、浴室１０１内の温度及びミストＭとして噴出させる温水ＨＷの温度を検出し、浴室１０１内の状態が入浴に適した状態となったか否かを判断して、後述するように、ミスト操作部５、主操作部６及びオーディオ装置２００により入浴者（利用者）等に報知する。
【００２５】
＜ミスト発生装置およびオーディオ装置の構成例及び動作例＞
図２はミスト発生装置２を構成するノズルユニット２Ａの一例を示す構成図で、図２（ａ）はノズルユニット２Ａを下側から見た平面図、図２（ｂ）は図２（ａ）に示すノズルユニット２ＡのＡ−Ａ断面図、図２（ｃ）は図２（ａ）に示すノズルユニット２ＡのＢ−Ｂ断面図である。また、図３は、ノズルユニット２Ａの一例を分解して示す斜視図である。
【００２６】
ノズルユニット２Ａは、ミストを生成する複数のミストノズル１１が、各ミストノズル１１に温水（水）を供給する供給配管１２を介して筐体１３の内部に取り付けられている。各ミストノズル１１は、筐体１３に対して回動可能に設けられた１本の供給配管１２に接続されて、一列に並べて配置される。本実施例では、３個のミストノズル１１を所定の間隔を開けて配置して、各ミストノズル１１が供給配管１２と接続され、供給配管１２に温水が供給されると、各ミストノズル１１に温水が分配されて、各ミストノズル１１からミストが噴出される。
【００２７】
また、本実施例では、ノズルユニット２Ａに２つのスピーカー２０１が設けられている。各スピーカー２０１は、電源ボックス２０２と電気的に接続されており、電源ボックス２０２からの信号に応じて音を出すことができる。各スピーカー２０１は、３つのミストノズル１１と略等間隔で一直線上に位置するように設置軸２０４に設けられている。設置軸２０４は、横架部材２０４ａにより供給配管１２と平行な状態で筐体１３に可動自在に軸支されている。設置軸２０４には、プーリ２０４ｂが設けられ、このプーリ２０４ｂには、供給配管１２との間にタイミングベルト２０５が掛け渡され、供給配管１２の回動に連動して設置軸２０４が回動するように構成されている。このため、各ミストノズル１１が回動されると各スピーカー２０１も一緒に回動されることとなり、各ミストノズル１１からのミストの噴出方向と、各スピーカー２０１から出された音が進む方向と揃うこととなる。
【００２８】
ノズルユニット２Ａは、図１に示す浴室１０１の天井パネルに形成された開口に筐体１３が挿入され、筐体１３の下部開口を覆うフロントパネル１４が取り付けられて、浴室１０１の天井パネルに設置される。
【００２９】
フロントパネル１４には、各ミストノズル１１の配置に合わせて穴部１４ａが形成され、穴部１４ａからミストノズル１１が露出している。
【００３０】
また、フロントパネル１４には、図２および図３に示すように、各スピーカー２０１の配置に合わせて複数の細穴群１４ｃが形成され、音が出ることの妨げとならないようにスピーカー２０１が遮蔽されている。
【００３１】
さらに、フロントパネル１４には、長尺方向でみた両端に長穴１４ｂが形成されている。フロントパネル１４は、長穴１４ｂにネジ１４ｄが筐体１３に螺合されることにより、筐体１３に固定される構成とされているので、ミストノズル１１の並ぶ方向に対して直交する方向で見て、筐体１３に対する取り付け位置を調節することができる。このため、ノズルユニット２Ａの設置時に、筐体１３に対するフロントパネル１４の取り付け位置を適宜調節することにより、ミストの噴出方向および出された音が進む方向を適宜調節することができる。
【００３２】
例えば、ノズルユニット２Ａは、ミストノズル１１の並ぶ方向を、図１に示す浴室１０１において浴槽１０１ａと洗い場１０１ｂの並ぶ方向に対して直交する向きとして設置すると、ミストＭの噴出方向および出された音が進む方向を浴槽１０１ａ側と洗い場１０１ｂ側との間で選択可能とすることができる。
【００３３】
図４はミスト発生装置２を構成する弁ユニット２Ｂの一例を示す構成図である。弁ユニット２Ｂは流路切替装置の一例で、図１に示す給湯装置４からの配管１５ａが接続される給湯配管接続部１６ａと、ノズルユニット２Ａへの配管１５ｂが接続される供給配管接続部１６ｂと、ドレン配管１５ｃが接続されるドレン配管接続部１６ｃを備える。
【００３４】
弁ユニット２Ｂは、給湯配管接続部１６ａと供給配管接続部１６ｂとの間が供給配管１７で接続され、給湯装置４とノズルユニット２Ａとの間を接続している。また、弁ユニット２Ｂは、供給配管１７から分岐した排水配管１８がドレン配管接続部１６ｃと接続され、給湯装置４とドレン配管１５ｃとの間を接続している。
【００３５】
弁ユニット２Ｂは、排水配管１８との分岐部１７ａより上流側の供給配管１７に、給湯の有無を切り替える給湯切替電磁弁１９ａを備えると共に、分岐部１７ａより下流側の供給配管１７に、温水または水の供給先をノズルユニット２Ａに切り替える供給切替電磁弁１９ｂを備える。
【００３６】
更に、弁ユニット２Ｂは、温水または水の供給先をドレン配管１５ｃに切り替える排水切替電磁弁１９ｃを、排水配管１８に備える。
【００３７】
また、弁ユニット２Ｂは、給湯切替電磁弁１９ａと分岐部１７ａとの間の供給配管１７に、供給配管１７を流れる温水または水の温度を検出する水温検出センサ２０を備える。
【００３８】
ここで、供給配管１７に設ける給湯切替電磁弁１９ａ及び供給切替電磁弁１９ｂの設置高さより、排水配管１８に設ける排水切替電磁弁１９ｃの設置高さが低くなるように、供給配管１７と排水配管１８の流路を構成することで、流路中に残水が滞留しないようにしている。
【００３９】
図５及び図６は弁ユニット２Ｂの動作説明図である。ミスト噴出時は、図５（ａ）に示すように、給湯切替電磁弁１９ａと供給切替電磁弁１９ｂは開き、排水切替電磁弁１９ｃは閉じる。これにより、図１に示す給湯装置４から供給された温水ＨＷが、供給配管１７を流れてノズルユニット２Ａに供給され、ノズルユニット２ＡでミストＭが噴出される。
【００４０】
排水時は、図５（ｂ）に示すように、給湯切替電磁弁１９ａと排水切替電磁弁１９ｃは開き、供給切替電磁弁１９ｂは閉じる。これにより、給湯装置４から供給された温水ＨＷが、供給配管１７及び排水配管１８を流れてドレン配管１５ｃから排水（ＥＷ）される。
【００４１】
排水の停止時は、まず、図６（ａ）に示すように、排水切替電磁弁１９ｃは開けた状態で、給湯切替電磁弁１９ａを閉じた後、供給切替電磁弁１９ｂを開ける。これにより、供給配管１７のノズルユニット２Ａと接続された側が大気に開放された状態となるので、供給配管１７内の残水ＲＷが排水配管１８へと流れてドレン配管１５ｃから排水される。
【００４２】
そして、残水ＲＷの排水に要する時間に応じて設定された所定時間経過後、図６（ｂ）に示すように、給湯切替電磁弁１９ａ、供給切替電磁弁１９ｂ及び排水切替電磁弁１９ｃの全てを閉じることで、給湯切替電磁弁１９ａより下流側の流路に残水を滞留させない状態とすることができる。
【００４３】
＜浴室空調装置の構成例及び動作例＞
図７は浴室空調装置３の構成例及び動作例を示す断面図、図８は浴室空調装置３を下面側から見た斜視図であり、次に、浴室空調装置３の構成の一例及び動作の一例について説明する。
【００４４】
浴室空調装置３は空調装置の一例で、浴室暖房換気乾燥装置等と称され、換気手段及び送風手段を構成するファン部３２と熱源としてのヒータ部３３を備える。浴室空調装置３は、本体ケース３４にファン部３２が取り付けられる。ファン部３２は、回転駆動される多翼の羽根車（ファン）３５と、羽根車３５を回転駆動するファンモータ３６と、ファンモータ３６が取り付けられると共に、風路を形成するファンケース３７を備える。
【００４５】
ファン部３２は、羽根車３５が縦向きに配置され、ファンケース３７は、羽根車３５の軸方向に沿った下面が開口して吸込口３８が形成される。また、ファンケース３７は羽根車３５の接線方向に沿った一の側面が開口して、風路切換部３９を備える。
【００４６】
風路切換部３９は風路を切り換えるダンパ４０を備える。ダンパ４０は後述するダンパモータの駆動力がカム４０ａを介して伝達され、軸４０ｂを支点に回転して開閉動作を行う。ファンケース３７は、風路切換部３９と連通して下面に吹出口４１を備えると共に、風路切換部３９と連通して一の側面に排気口４２を備え、ダンパ４０の位置によって、吸込口３８から吹出口４１へ連通した風路か、排気口４２へ連通した風路が形成される。
【００４７】
図７（ａ）では、ダンパ４０を全閉した状態を示す。ダンパ４０を全閉にすると、排気口４２への風路が遮断され、吸込口３８から吹出口４１へ連通した循環風路４３ａが形成される。このため、ダンパ４０が全閉となる位置をダンパ４０の循環位置と称す。
【００４８】
図７（ｂ）では、ダンパ４０を全開にした状態を示す。ダンパ４０を全開にすると、吹出口４１への風路が遮断され、吸込口３８から排気口４２へ連通した換気風路４３ｂが形成される。このため、ダンパ４０が全開となる位置をダンパ４０の換気位置と称す。
【００４９】
図７（ｃ）では、ダンパ４０を循環位置と換気位置の中間位置にした状態を示す。ダンパ４０を循環位置と換気位置の中間位置にすると、吸込口３８から吹出口４１へ連通した循環風路４３ａと、吸込口３８から排気口４２へ連通した換気風路４３ｂの双方が形成される。この中間位置を循環換気位置と称す。
【００５０】
ファンケース３７は、ヒータ部３３の上流側にイオン発生器４４を備える。イオン発生器４４はイオン発生手段の一例で、ダンパ４０を循環位置あるいは循環換気位置とすることで形成される循環風路４３ａにイオン放出面が露出する。
【００５１】
イオン発生器４４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ＋（Ｈ２Ｏ）ｍ（ｍは任意の自然数。）と、Ｏ２−（Ｈ２Ｏ）ｎ（ｎは任意の自然数。）が主体のイオンを放出するものである。
【００５２】
これらＨ＋（Ｈ２Ｏ）ｍ及びＯ２−（Ｈ２Ｏ）ｎは、浮遊菌の表面に付着し、化学反応して活性種であるＨ２Ｏ２または・ＯＨを生成する。Ｈ２Ｏ２または・ＯＨは、極めて強力な活性を示すため、これらにより、空気中の浮遊細菌を取り囲んで除去することができる。ここで、・ＯＨは活性種の１種であり、ラジカルのＯＨを示している。
【００５３】
これにより、ファン部３２の運転と連動させて略同数の正イオンと負イオンを発生させ、略同数の正イオンと負イオンを含む空気を送風することで、循環する空気に含まれる浮遊細菌と図１に示す浴室１０１の空気中の浮遊細菌の双方を除去して、カビの発生等を抑えることができる。
【００５４】
ヒータ部３３は電気ヒータで構成される加熱手段の一例で、上述した吹出口４１に備えられる。ここで、ヒータ部３３としては例えばＰＴＣヒータを備える。
【００５５】
本体ケース３４は、図８に示すように、下面が開口しファン部３２の吸込口３８と吹出口４１が露出する。吸込口３８には温度検出センサ３１が備えられ、吸込口３８から吸い込む空気の温度を検出することで、浴室１０１の温度を検出可能となっている。
【００５６】
なお、吹出口４１に、風向を切り替える電動の吹出ルーバを備える構成としても良い。
【００５７】
本体ケース３４は、下面開口部にフロントパネル２６が取り付けられる。フロントパネル２６は、本体ケース３４に着脱できるように構成され、ファン部３２の吸込口３８と対向して吸込グリル４５を備えると共に、ファン部３２の吹出口４１と対向して吹出グリル４６を備える。また、フロントパネル２６は、吸込グリル４５の裏側にフィルタ４７が交換可能に取り付けられる。
【００５８】
更に、本体ケース３４は、ファン部３２の排気口４２と連通する排気ダクト接続部４８を一の側面に備える。浴室空調装置３は、排気ダクト接続部４８に図１に示す排気ダクト９が接続される。
【００５９】
浴室空調装置３は、ファンモータ３６が回転駆動されると、ファン部３２の羽根車３５が回転する。羽根車３５が回転駆動されると、フロントパネル２６の吸込グリル４５を介してファン部３２の吸込口３８から浴室１０１の空気Ａが吸い込まれる。
【００６０】
ダンパ４０の位置が図７（ａ）に示す循環位置であると、ファン部３２において吸込口３８から吹出口４１への循環風路４３ａが形成されるので、吸込口３８から吸い込まれた空気Ａは、循環風路４３ａを通り吹出口４１からフロントパネル２６の吹出グリル４６を介して浴室１０１内に吹き出される。
【００６１】
ヒータ部３３は循環風路４３ａの吹出口４１に配置されるので、ヒータ部３３が駆動されることで、循環風路４３ａを通る空気が温められて、温風ＨＡが吹出グリル４６から吹き出す。
【００６２】
これにより、ダンパ４０を循環位置として、ファンモータ３６が回転駆動されると、ヒータ部３３を駆動した場合は、浴室１０１内の空気を循環させながら、浴室１０１内に温風ＨＡが吹き出される。
【００６３】
ダンパ４０の位置が図７（ｂ）に示す換気位置であると、ファン部３２において吸込口３８から排気口４２への換気風路４３ｂが形成されるので、吸込口３８から吸い込まれた空気は、換気風路４３ｂ及び排気口４２を通り、更に、図１に示す排気ダクト９を通って排気グリル９ａから屋外へ排気される。
【００６４】
これにより、ダンパ４０を換気位置として、ファンモータ３６が回転駆動されると、浴室１０１内の湯気や湿気が排気される。
【００６５】
ダンパ４０の位置が図７（ｃ）に示す循環換気位置であると、ファン部３２において吸込口３８から吹出口４１への循環風路４３ａと、吸込口３８から排気口４２への換気風路４３ｂの双方が形成されるので、吸込口３８から吸い込まれた空気は、一部は循環風路４３ａを通り吹出口４１からフロントパネル２６の吹出グリル４６を介して浴室１０１内に吹き出される。
【００６６】
また、吸込口３８から吸い込まれた空気の残部は、換気風路４３ｂ及び排気口４２を通り、更に、図１に示す排気ダクト９を通って排気グリル９ａから屋外へ排気される。
【００６７】
これにより、ダンパ４０を循環換気位置として、ファンモータ３６が回転駆動されると、ヒータ部３３が非駆動の場合は、浴室１０１内の空気を循環させながら、浴室１０１内の湯気や湿気が排気される。
【００６８】
また、ヒータ部３３を駆動した場合は、浴室１０１内の空気を循環させて浴室１０１内に温風を吹き出しながら、浴室１０１内の湯気や湿気が排気される。
【００６９】
なお、浴室空調装置としては、循環ファンと換気ファンとを備え、循環風路と換気風路とが独立した構成等であっても良い。
【００７０】
＜ミスト発生装置と浴室空調装置とオーディオ装置との設置例＞
以上説明したミスト発生装置２と浴室空調装置３とオーディオ装置２００とは、図１に示すように、それぞれ浴槽１０１ａの長手方向に沿って配置され、ミスト発生装置２と浴室空調装置３とオーディオ装置２００とは、浴槽１０１ａと洗い場１０１ｂの並び方向に沿って並列される。また、ミスト発生装置２（ノズルユニット２Ａ。）が洗い場１０１ｂ側に配置される。そして、ミスト発生装置２のミストＭの噴出方向、及び浴室空調装置３の温風ＨＡ（送風）の吹き出し方向は、通常洗い場１０１ｂ側に向けられている。
【００７１】
なお、ミスト発生装置２のノズルユニット２Ａは、ミストＭを室内に噴出できるものであればよいことから、天井に取り付ける構成に限定されるものではなく、例えば、壁面に設けてもよい。
【００７２】
＜給湯システムの構成例＞
図９は給湯装置４の概要及び接続形態を示す構成図で、次に、給湯装置４の構成の一例及び動作の一例について説明する。
【００７３】
給湯装置４は、大気と冷媒との間の熱交換及び冷媒と水との間の熱交換で温水を生成するヒートポンプユニット５３と、ヒートポンプユニット５３で生成された温水を貯水する貯湯タンクユニット５４を備える。
【００７４】
ヒートポンプユニット５３は、大気と冷媒との間で熱交換を行って、冷媒の温度を上昇させる空気熱交換器５５と、冷媒と水との間で熱交換を行って、水の温度を上昇させる水熱交換器５６を備える。
【００７５】
また、ヒートポンプユニット５３は、空気熱交換器５５に大気を供給するファン５５ａと、空気熱交換器５５と水熱交換器５６との間を接続して、空気熱交換器５５と水熱交換器５６との間で冷媒を循環させる冷媒配管５７を備える。
【００７６】
更に、ヒートポンプユニット５３は、空気熱交換器５５と水熱交換器５６の間で空気熱交換器５５の下流側に、空気熱交換器５５で熱交換されて冷媒配管５７を流れる冷媒を圧縮して、温度を更に上昇させる圧縮機５８を備える。また、ヒートポンプユニット５３は、空気熱交換器５５と水熱交換器５６の間で水熱交換器５６の下流側に、水熱交換器５６で熱交換されて冷媒配管５７を流れる冷媒を膨張させて、温度を低下させる膨張弁５９を備える。
【００７７】
貯湯タンクユニット５４は、ヒートポンプユニット５３で生成された温水を貯水するタンク６０を備える。タンク６０は、下部側に水が供給されると共に、上部側に温水が供給されて、下部側に比べて上部側の温度が高くなる層化した状態で温水を貯水する。
【００７８】
ヒートポンプユニット５３と貯湯タンクユニット５４は、水熱交換器５６とタンク６０の間が温水配管６１ａ及び冷水配管６１ｂで接続され、冷水配管６１ｂにポンプ６１ｃを備える。
【００７９】
温水配管６１ａは、水熱交換器５６の流出側と、タンク６０の上部側に設けられる流入口６０ａとの間を接続する。また、冷水配管６１ｂは、水熱交換器５６の流入側と、タンク６０の下部側に設けられる流出口６０ｂの間を接続する。
【００８０】
ポンプ６１ｃは、冷水配管６１ｂを介してタンク６０の流出口６０ｂから水を吸い込んで水熱交換器５６に供給し、水熱交換器５６を通過して生成された温水を、温水配管６１ａを介して流入口６０ａからタンク６０に供給する。
【００８１】
また、貯湯タンクユニット５４は、タンク６０に貯水された温水を取水する取水配管６２と、タンク６０に給水を行う給水配管６３が、タンク６０に接続される。
【００８２】
取水配管６２は、流入口６０ａと独立してタンク６０の上部に設けられる高温部取水口６０ｃと接続される高温部取水配管６２ａと、高温部取水口６０ｃより下側に設けられる中温部取水口６０ｄに接続される中温部取水配管６２ｂを備える。
【００８３】
また、取水配管６２は、高温部取水配管６２ａと中温部取水配管６２ｂの合流箇所に切換弁６２ｃを備え、タンク６０における取水元が、高温部取水口６０ｃか中温部取水口６０ｄに切り替えられる。
【００８４】
給水配管６３は、流出口６０ｂと独立してタンク６０の下部に設けられる給水口６０ｅと接続される。
【００８５】
更に、貯湯タンクユニット５４は、取水配管６２から供給される温水と、分岐給水配管６３ａから供給される水を混合させる給湯混合弁６４を備える。給湯混合弁６４は、取水配管６２と分岐給水配管６３ａの合流箇所に備えられ、取水配管６２から供給される温水と、分岐給水配管６３ａから供給される水の混合比を切り替えて、給湯配管６５から供給される温水の温度を調整する。
【００８６】
給湯配管６５は、図１に示すミスト発生装置２の弁ユニット２Ｂ、浴室１０１の浴槽１０１ａの蛇口やシャワー１０１ｃ、洗面脱衣所１０２の蛇口１０２ａ及び台所１０３の図示しない蛇口等と接続され、温水を供給する。
【００８７】
次に、給湯装置４の動作について説明する。給湯装置４は、貯湯タンクユニット５４のタンク６０に、給水配管６３から水が供給される。タンク６０に供給された水は、冷水配管６１ｂによりヒートポンプユニット５３の水熱交換器５６に供給される。
【００８８】
ヒートポンプユニット５３では、ファン５５ａにより空気熱交換器５５に大気が供給され、冷媒配管５７を流れる冷媒との間で熱交換が行われ、冷媒の温度が上昇する。空気熱交換器５５で熱交換が行われた冷媒は、圧縮機５８で圧縮されることで、温度が更に上昇する。
【００８９】
そして、圧縮機５８で圧縮されて温度を上昇させた冷媒は、水熱交換器５６に供給される。これにより、水熱交換器５６においては、大気との熱交換及び圧縮により温度を上昇させた冷媒と、貯湯タンクユニット５４から供給された水との間で熱交換が行われ、温水が生成される。
【００９０】
水熱交換器５６で熱交換された冷媒は、膨張弁５９で膨張させて温度を低下させ、再度空気熱交換器５５に供給される。
【００９１】
また、水熱交換器５６で熱交換されて生成された温水は、温水配管６１ａによりタンク６０に戻される。これにより、タンク６０は、上部側が温度が高く、下部側が温度の低い層化した状態で温水と水が貯水される。
【００９２】
タンク６０に貯水された温水は、取水配管６２により取水される。ここで、供給する温水の温度が高い場合は、切替弁６２ｃにより高温部取水配管６２ａから温水を取水し、供給する温水の温度が低い場合は、中温部取水配管６２ｂから温水を取水する。
【００９３】
取水配管６２により取水された温水は、分岐給水配管６３ａから供給される水と給湯混合弁６４で混合される。給湯混合弁６４で温水と水の混合比を切り替えることで、給湯配管６５から供給される温水の温度が調整される。そして、給湯配管６５から供給される温水は、ミスト発生装置２、浴室１０１、洗面脱衣所１０２及び台所１０３等に分配される。
【００９４】
なお、給湯装置４は、自然冷媒を利用したヒートポンプ方式でない電気温水器や、ガス給湯器、他の熱源を利用した給湯器でも良い。
【００９５】
＜浴室空調システムの制御機能例＞
図１０は本実施の形態の浴室空調システム１Ａの制御系の一例を示す機能ブロック図である。次に、上述したミスト発生装置２、浴室空調装置３、オーディオ装置２００及び給湯装置４を備えた浴室空調システム１Ａの制御系の構成について説明する。
【００９６】
浴室空調システム１Ａは、ミスト発生装置２にミスト制御部７を備え、浴室空調装置３に空調制御部８を備え、オーディオ装置２００にオーディオ制御部２０６を備える。
【００９７】
ミスト制御部７は、本実施例では、ミスト操作部５と、図４で説明した弁ユニット２Ｂの給湯切替電磁弁１９ａと、供給切替電磁弁１９ｂと、排水切替電磁弁１９ｃと、水温検出センサ２０等とに接続されている。なお、ミスト操作部５は例えば有線でミスト制御部７およびオーディオ制御部２０６に接続される。
【００９８】
空調制御部８は、本実施例では、主操作部６と、図７及び図８で説明した浴室空調装置３の温度検出センサ３１と、ヒータ部３３と、ファンモータ３６と、イオン発生器４４と、ダンパ４０を駆動するダンパモータ４０ｂ等とに接続されている。なお、主操作部６は例えば有線で空調制御部８に接続される。また、主操作部６には、外部入力端子（図示せず。）を介して外部音源２０３が接続可能とされている。外部音源２０３としては、例えばＣＤプレーヤーのように、音楽の再生が可能な装置等が挙げられる。
【００９９】
オーディオ制御部２０６は、本実施例では、スピーカー２０１に接続されている。なお、ミスト操作部５は例えば有線でオーディオ制御部２０６に接続される。
【０１００】
更に、ミスト制御部７は、空調制御部８と例えば有線で接続される。
【０１０１】
ミスト制御部７と空調制御部８とオーディオ制御部２０６とは、それぞれ図示しないＣＰＵやメモリ等を備え、ミスト操作部５及び主操作部６での操作と、予め記憶されているプログラムに従って、ミスト発生装置２の弁ユニット２Ｂと、浴室空調装置３と、オーディオ装置２００の電源ボックス２０２とを制御する。
【０１０２】
すなわち、ミスト制御部７と空調制御部８とは、ミスト操作部５あるいは主操作部６での所定の操作に従って通信を行い、ミスト制御部７でミスト発生装置２の弁ユニット２Ｂを制御すると共に、空調制御部８で浴室空調装置３を制御して、ミスト発生装置２と浴室空調装置３を適宜連動させて設定された各運転モードを実行し、浴室１０１（図１参照。）を各運転モードに応じた雰囲気とする。
【０１０３】
また、オーディオ制御部２０６は、ミスト操作部５または主操作部６での所定の操作に従って通信を行い、電源ボックス２０２を制御して、両スピーカー２０１からラジオ放送、音楽等を流させる。
【０１０４】
さらに、空調制御部８は、浴室空調装置３単体の動作として、主操作部６での所定の操作に従って浴室空調装置３を制御し、浴室１０１の暖房を行う暖房運転モードと、浴室１０１の換気を行う換気運転モードと、浴室１０１及び浴室１０１内に干した衣類等の乾燥を行う乾燥運転モードと、入浴者等に対して送風を行う涼風運転モードを選択的に実行する。
【０１０５】
図１１はミスト操作部５の一例を示す構成図である。ミスト操作部５には、表示部７０が設けられている。表示部７０には、ミスト操作部５への操作に応じて、現在時刻、選択された運転モード、各装置の運転状態、運転モードの設定時間、設定温度、浴室１０１の温度、音量、選局用の電波周波数等が適宜表示される。
【０１０６】
また、ミスト操作部５には、運転モードを選択する操作ボタンとして、ミストサウナモードの運転及び運転停止を選択するミストサウナボタン７１、暖房モードの運転及び運転停止を選択する暖房ボタン７２、ミストモードの運転及び運転停止を選択するミストボタン７３が設けられており、図７及び図８で説明した浴室空調装置３に風向を切り替える電動の吹出ルーバを備えている場合に吹出ルーバを動作させるルーバボタン７４が設けられている。
【０１０７】
さらに、ミスト操作部５には、オーディオ装置２００を利用するための操作ボタンとして、ラジオ放送のＯＮ/ＯＦＦのためのラジオボタン７５と、外部入力端子に接続された外部音源２０３からのＯＮ/ＯＦＦのための外部入力ボタン７６と、両スピーカー２０１から出される音の音量の調節モードに切り替える音量ボタン７７とが設けられている。
【０１０８】
ついで、ミスト操作部５は、上下ボタン７８とＯＮ／ＯＦＦボタン７９とを有する。上下ボタン７８は、各ボタン７１〜７７が押された際、当該押されたボタンに対応する数値等の設定、例えば、設定温度、運転モードの設定時間、吹出ルーバ位置、音量、電波周波数等を適宜設定することができる。ＯＮ／ＯＦＦボタン７９は、浴室空調システム１Ａを起動させ、また全ての制御を停止させる。なお、浴室空調システム１Ａが起動されていないときに各ボタン７１〜７７が押されると、各ボタン７１〜７７に設定された動作に沿って浴室空調システム１Ａが起動されるように構成してもよい。
【０１０９】
図１２は主操作部６の一例を示す構成図である。主操作部６は主操作手段の一例で、運転モードを選択する操作ボタンとして、浴室空調装置３単体での暖房運転モードの開始及び運転停止と、ミスト発生装置２を連動させたミストサウナモードの運転及び運転停止を選択する暖房運転選択ボタン８１を備える。
【０１１０】
また、換気運転モードの開始及び運転停止を選択する換気運転選択ボタン８２と、乾燥運転モードの開始及び運転停止を選択する乾燥運転選択ボタン８３と、涼風運転モードの開始及び運転停止を選択する涼風運転選択ボタン８４を備える。
【０１１１】
更に、所定の換気風量で常時換気を行う２４時間換気運転モードを選択する２４時間換気運転選択ボタン８５と、全ての制御を停止させる停止ボタン８６を備える。
【０１１２】
なお、図７及び図８で説明した浴室空調装置３に風向を切り替える電動の吹出ルーバを備えている場合に、吹出ルーバを動作させるルーバボタン８７を備える。
【０１１３】
また、主操作部６は、各操作ボタンで選択された運転モード及び各運転モードで設定される風量、更に、浴室１０１内の状態等を入浴者等に報知する報知手段として、暖房運転選択ボタン８１と対応させたミスト運転ランプ８１ａと、選択できる暖房の強弱の度合に応じて、例えば強暖房運転ランプ８１ｂと弱暖房運転ランプ８１ｃを備える。
【０１１４】
さらに、換気運転選択ボタン８２と対応させた換気運転ランプ８２ａと、乾燥運転選択ボタン８３と対応させた乾燥運転ランプ８３ａと、涼風運転選択ボタン８４と対応させた涼風運転ランプ８４ａと、２４時間換気運転選択ボタン８５と対応させた２４時間換気運転ランプ８５ａと、イオン運転ランプ８８とを備える。
【０１１５】
なお、各運転モードで風量等が選択できる場合は、選択できる風量の強弱等に応じて、各操作ボタンに対応させて複数の運転ランプを備える。
【０１１６】
ついで、主操作部６は、オーディオ装置２００を利用するための操作ボタンとして、ラジオ放送のＯＮ/ＯＦＦのためのラジオボタン９０と、外部入力端子に接続された外部音源２０３からのＯＮ/ＯＦＦのための外部入力ボタン９１と、両スピーカー２０１から出される音の音量の調節モードに切り替える音量ボタン９２とを備える。なお、外部入力端子を浴室１０１の外に設けた主操作部６のみに設ければ、外部音源２０３の防水加工等を不要とすることができる。
【０１１７】
更に、主操作部６は、現在時刻等が表示される表示部８９を備える。
【０１１８】
なお、ミスト操作部５の暖房運転選択ボタン７２で選択できる暖房の強弱は、「強」、「弱」の２段階であってもよく、「強」、「中」、「弱」といった３段階であってもよく、それ以上の段階であっても良い。この暖房の強弱は、表示部７０に、文字の点灯（継続して表示している状態。）、および文字の点滅（断続的に表示している状態。）等で表示される。
【０１１９】
同様に、主操作部６の暖房運転選択ボタン８１で選択できる暖房の強弱も、「強」、「中」、「弱」といった３段階でも良く、それ以上の段階であっても良い。また、選択できる暖房の強弱に応じて、暖房運転ランプとして、例えば中暖房運転ランプを備えても良い。
【０１２０】
なお、暖房運転の強弱の切り替えは、例えばファン風量を切り替えることで行っているが、ファン風量の切り替えだけでなく、ヒータ部３３におけるヒータの発熱量及びヒータの通電時間や、ヒータ通電を入切する温度を変更するようにしたものであっても良い。
【０１２１】
また、ミストモードとは、ミスト発生装置２によるミスト運転のみを行うものであり、ミストサウナモードとは、ミスト発生装置２によるミスト運転と浴室空調装置３による空調運転（本実施例では暖房運転。）とを連動させるものである。
【０１２２】
＜本実施の形態のミストサウナモードの動作例＞
図１３は本実施の形態の浴室空調システム１Ａで実行されるミストサウナモードの実施の形態の一例を示すフローチャートであり、次に、本実施の形態のミストサウナモード実行時の処理の流れについて各図を参照して説明する。
【０１２３】
ステップＳＡ１：入浴者等は、浴室１０１を加湿暖房するため、浴室１０１に設置されているミスト操作部５のミストサウナボタン７１を押すか、洗面脱衣所１０２に設置されている主操作部６の暖房運転選択ボタン８１を所定回数押して、ミストサウナモードを選択する。
【０１２４】
ステップＳＡ２：ミスト操作部５のミストサウナボタン７１が押されると、ミスト発生装置２のミスト制御部７は、ミストサウナモードが選択されたと判断して、表示部７０のミスト運転表示を点滅させると共に、浴室空調装置３の空調制御部８にミスト運転コマンドを送信する。
【０１２５】
ここで、ミスト操作部５の表示部７０でミスト運転表示が点滅している状態では、ミストサウナモードの運転を開始したが、浴室１０１の温度を上げるためにミストを噴出せずに待機している状態であることを、浴室１０１内に居る入浴者等に報知している。
【０１２６】
ステップＳＡ３：空調制御部８は、ミスト制御部７からのミスト運転コマンドを受信すると、ミストサウナモードが選択されたと判断して、主操作部６のミスト運転ランプ８１ａを点滅させる。
【０１２７】
ここで、主操作部６でミスト運転ランプ８１ａが点滅している状態では、ミストサウナモードの運転を開始したが、浴室１０１の温度を上げるためにミストを噴出せずに待機している状態であることを、浴室１０１外に居る入浴前の利用者等に報知している。
【０１２８】
なお、ミストサウナモードが主操作部６の暖房運転選択ボタン８１を押すことで選択された場合は、空調制御部８はミストサウナモードが選択されたと判断してミスト制御部７にミスト運転コマンドを送信する。ミスト制御部７は、空調制御部８からのミスト運転コマンドを受信すると、ミストサウナモードが選択されたと判断して表示部７０のミスト運転表示を点滅させると共に、空調制御部８にミスト運転コマンドを返信する。そして、空調制御部８は、ミスト制御部７からのミスト運転コマンドの返信を受信すると、ミスト運転ランプ８１ａを点滅させる。
【０１２９】
ステップＳＡ４：浴室空調装置３の空調制御部８は、ミストサウナモードの運転を開始すると、浴室空調装置３を制御して暖房運転を行う。すなわち、空調制御部８は、ファン風量が例えば「強」となるようにファンモータ３６を制御すると共に、ヒータ部３３に通電を行う。また、ダンパモータ４０ｂを制御して、ダンパ４０を図７（ａ）に示す循環位置とする。
【０１３０】
これにより、浴室空調装置３は、浴室１０１内の空気を循環させながら、フロントパネル２６の吹出グリル４６から浴室１０１内に温風ＨＡを吹き出す。浴室空調装置３では、ヒータ部３３としてＰＴＣヒータ等の電気ヒータを利用しているので、通電を開始してから、ヒータ部３３が所定の温度に加熱されるまでの時間が短く、温風ＨＡを吹き出すまでの立ち上がり時間は短い。また、ファン風量を「強」としているので、温風ＨＡの吹出量が増加する。
【０１３１】
従って、ミストサウナモードでは、浴室１０１内の温度を短時間でミストの噴出に適した温度まで上げることができる。
【０１３２】
なお、浴室空調装置３が暖房運転を行っていることを報知するため、空調制御部８は所定のコマンドを主操作部６とミスト制御部７に送信し、主操作部６の強暖房運転ランプ８１ｂを点灯させると共に、ミスト操作部５の表示部７０に強暖房運転表示を点灯させる。
【０１３３】
ステップＳＡ５：浴室空調装置３の空調制御部８は、ミストサウナモードの運転を開始すると、浴室１０１内が所定の状態になることを検出するため、温度検出センサ３１で浴室１０１内の温度ＴＨ１を検出する。本処理ステップでは、浴室１０１内の温度ＴＨ１が、ミスト噴出に適した所定のミスト噴出開始温度（例えば３０℃）に到達したか否かを判断する。
【０１３４】
ステップＳＡ６：浴室空調装置３の空調制御部８は、上述したステップＳＡ５で浴室１０１内の温度ＴＨ１がミスト噴出開始温度（例えば３０℃）以上になったと判断すると、ミスト発生装置２のミスト制御部７に運転許可コマンドを送信する。ミスト制御部７は、空調制御部８からの運転許可コマンドを受信すると、ミスト発生装置２を制御して、排水運転を行う。
【０１３５】
図１４は排水運転の一例を示すフローチャートであり、ミスト噴出前に実行する排水運転の処理の流れについて説明する。
【０１３６】
ステップＳＢ１：ミスト発生装置２のミスト制御部７は、弁ユニット２Ｂの給湯切替電磁弁１９ａを開く。
【０１３７】
ステップＳＢ２：ミスト発生装置２のミスト制御部７は、弁ユニット２Ｂの排水切替電磁弁１９ｃを開く。これにより、給湯装置４から供給された温水ＨＷがドレン配管１５ｃから排水される。このとき、供給切替電磁弁１９ｂは閉じており、ノズルユニット２Ａからミストの噴出は行われない。
【０１３８】
ステップＳＢ３：ミスト発生装置２のミスト制御部７は、排水運転を開始すると、水温検出センサ２０で給湯装置４から供給される温水ＨＷの水温ＴＨ２を検出する。
【０１３９】
本例では、給湯装置４から供給される温水ＨＷの水温ＴＨ２が、ミスト噴出に適した所定のミスト噴出適合温度（例えば３０℃）に到達したか否かを検出し、水温ＴＨ２がミスト噴出適合温度（例えば３０℃）に到達すると、ミストの噴出に適した水温となったと判断して、図１３に示すフローチャートのステップＳＡ７以降の処理を行う。
【０１４０】
ここで、ミストサウナモードにおいて、浴室空調装置３で浴室１０１の暖房を開始して、浴室１０１内の温度ＴＨ１が所定の温度に到達した後、ミスト発生装置２で排水運転を開始することで、排水量を減らすことが可能となる。
【０１４１】
ステップＳＡ７：ミスト発生装置２のミスト制御部７は、上述した排水運転で給湯装置４から供給される温水ＨＷの水温ＴＨ２が所定のミスト噴出適合温度（例えば３０℃）以上になったと判断すると、ミスト操作部５の表示部７０のミスト運転表示を点滅から点灯に切り替えると共に、ブザーを鳴らす。
【０１４２】
ここで、表示部７０でミスト運転表示が点灯している状態では、ミストサウナモードでミストの噴出を行う状態であることを、浴室１０１内に居る入浴者等に報知しており、ミスト運転表示が第１状態報知手段となっている。
【０１４３】
なお、ミスト噴出前にランプによる報知だけでなく、ブザーを鳴らすことで、着衣のまま利用者が浴室１０１内にいるような場合に、退室を促すことができる。なお、このブザーに代えて、オーディオ装置２００から退室を促す音声等を流してもよい。
【０１４４】
ステップＳＡ８：ミスト発生装置２のミスト制御部７は、ミストを噴出するため、弁ユニット２Ｂの給湯切替電磁弁１９ａは開いた状態で、排水切替電磁弁１９ｃを閉じると共に、供給切替電磁弁１９ｂを開く。これにより、給湯装置４から供給された所定の温度の温水ＨＷがノズルユニット２Ａに供給され、ノズルユニット２ＡでミストＭが噴出される。
【０１４５】
ステップＳＡ９：浴室空調装置３の空調制御部８は、上述したステップＳＡ６でミスト発生装置２のミスト制御部７に運転許可コマンドを送信した後、浴室１０１内が所定の状態になったことを検出するため、温度検出センサ３１で浴室１０１内の温度ＴＨ１を検出する。本処理ステップでは、浴室１０１内の温度ＴＨ１が、ミスト噴出を開始する条件である上述した所定の室温であるミスト噴出開始温度（例えば３０℃）より高く、入浴に適した所定の入浴適合温度（例えば３５℃）に到達したか否かを判断する。
【０１４６】
ステップＳＡ１０：浴室空調装置３の空調制御部８は、上述したステップＳＡ９で、浴室１０１内の温度ＴＨ１が入浴適合温度（例えば３５℃）以上になったと判断すると、主操作部６のミスト運転ランプ８１ａを点滅から点灯に切り替える。
【０１４７】
ここで、主操作部６でミスト運転ランプ８１ａが点灯している状態では、浴室１０１内が所定の中温高湿のミストサウナ状態となり、入浴に適した状態であることを、浴室１０１外に居る入浴前の利用者等に報知しており、ミスト運転ランプ８１ａが第２状態報知手段となっている。なお、この後も浴室空調装置３の暖房運転は終了せずに継続して行う。
【０１４８】
ステップＳＡ１１：ミスト運転ランプ８１ａの点灯に加えて、本発明の湯水噴出システムの一例である浴室空調システム１Ａでは、空調制御部８が、主操作部６のミスト運転ランプ８１ａを点滅から点灯に切り替えることを知らせる、すなわち浴室１０１内が入浴に適した状態であることを知らせる信号をオーディオ制御部２０６にも送信する。当該信号を受けたオーディオ制御部２０６は、ノズルユニット２Ａに設けられた両スピーカー２０１から入浴に適した状態であることを認識させる音を出させる。このような音は、入浴に適した状態であることを認識させることができればよく、例えば、音声であってもよく、音楽であってもよい。
【０１４９】
なお、図１３に示すステップＳＡ５では、浴室１０１内の温度を温度検出センサ３１で検出して、浴室１０１内の状態を判断したが、タイマにより時間を計測して、所定時間の経過により浴室１０１の状態がミストの噴出に適した状態となったか否かを判断するようにしても良い。
【０１５０】
また、温度検出センサ３１による室温の検出と、タイマによる経過時間の計測を組み合わせて、浴室１０１内の状態を判断するようにしても良い。
【０１５１】
更に、湿度センサ等の他の手段で浴室１０１内がミストの噴出に適した状態となったか否かを判断しても良い。
【０１５２】
また、図１３に示すステップＳＡ９でも、タイマにより時間を計測して、所定時間の経過により浴室１０１内が入浴に適したミストサウナ環境であることを判断しても良く、同様に、温度検出センサ３１による室温の検出とタイマによる経過時間の計測の組み合わせや、湿度センサ等の他の手段によって、入浴に適した状態であることを判断するようにしても良い。
【０１５３】
以上説明したように、本実施の形態の浴室空調システム１Ａでは、ミストサウナモードの運転を開始した後、浴室１０１内がミストサウナ状態となって入浴に適した状態となったことを、洗面脱衣所１０２に設置した主操作部６のミスト運転ランプ８１ａの点灯に加えて、スピーカー２０１から出される音で報知するので、利用者は、浴室１０１の外にいながら、浴室１０１内が快適な状態になったことを把握することができる。
【０１５４】
これにより、浴室１０１内が十分に温まる前に入浴者が入室して、寒さを感じることを防ぐことができる。
【０１５５】
また、浴室１０１に設置したミスト操作部５を操作してミストサウナモードの運転を開始した場合に、まず、浴室空調装置３で浴室１０１の暖房を行って浴室１０１内の温度を上げてから、ミスト発生装置２でミストの噴出が行われるので、浴室１０１内が十分に温まる前にミストが噴出されることがなく、寒さを感じることを防ぐことができる。
【０１５６】
さらに、利用者は、スピーカー２０１から出される音で認識することができるので（図１３のステップＳＡ１１参照。）、浴室１０１内が快適な状態になったことを確実に把握することができる。これは、例えば、利用者が、ミスト操作部５を操作してから浴室１０１内が快適な状態になるまでの間に、他の作業を行っている場合、主操作部６を視認しないことが考えられ、主操作部６のミスト運転ランプ８１ａが点滅から点灯に切り替わったことに気付かない虞があるが、スピーカー２０１から音が出されれば、他の作業を行っている場合であっても音に気付く可能性が非常に高いことによる。
【０１５７】
＜本実施の形態の浴室空調システムにおいて、オーディオ装置が動作している状態における音量制御の一例＞
オーディオ制御部２０６は、ミスト操作部５が操作されてオーディオ装置２００がＯＮ状態とされると、図１５に示すフローチャートに沿った制御を開始する。本実施例では、ミスト操作部５のラジオボタン７５または外部入力ボタン７６（外部入力端子（図示せず。）に外部音源２０３が接続されている場合。）が操作されてオーディオ装置２００がＯＮ状態とされると、ミスト発生装置２のノズルユニット２ＡからのミストＭが噴出されてなくかつ浴室空調装置３が動作していない状態に合わせて設定された音量である通常レベルの音量で、ラジオ放送または外部音源２０３からの音楽等を流すように設定されている。
【０１５８】
ステップＳＣ１：ミストサウナモードが実行されているか否かを確認する。ミストサウナモードが実行されている場合ステップＳＣ２に進み、ミストサウナモードが実行されていない場合ステップＳＣ５に進む。
【０１５９】
ステップＳＣ２：ミストサウナモードが実行されているので、オーディオ装置２００から出されているラジオ放送または音楽等の音量を、ミスト発生装置２のノズルユニット２ＡからのミストＭの噴出音と、暖房運転を行っている浴室空調装置３の動作音とを考慮して設定された音量であるミストサウナレベルに調節する。
【０１６０】
ステップＳＣ３：ミストサウナモードが終了されたか否かを確認し、ミストサウナモードが終了された場合ステップＳＣ４に進み、ミストサウナモードが終了されていない場合ステップＳＣ３を繰り返す。
【０１６１】
ステップＳＣ４：オーディオ装置２００から出されているラジオ放送または音楽等の音量を通常レベルに戻した後（調節した後。）ステップＳＣ５に進む。
【０１６２】
ステップＳＣ５：暖房モードが実行されているか否かを確認する。暖房モードが実行されている場合ステップＳＣ６に進み、暖房モードが実行されていない場合ステップＳＣ９に進む。
【０１６３】
ステップＳＣ６：暖房モードが実行されているので、オーディオ装置２００から出されているラジオ放送または音楽等の音量を、暖房運転を行っている浴室空調装置３の動作音を考慮して設定された音量である暖房レベルに調節する。
【０１６４】
ステップＳＣ７：暖房モードが終了されたか否かを確認し、暖房モードが終了された場合ステップＳＣ８に進み、暖房モードが終了されていない場合ステップＳＣ７を繰り返す。
【０１６５】
ステップＳＣ８：オーディオ装置２００から出されているラジオ放送または音楽等の音量を通常レベルに戻した後（調節した後。）ステップＳＣ９に進む。
【０１６６】
ステップＳＣ９：ミストモードが実行されているか否かを確認する。ミストモードが実行されている場合ステップＳＣ１０に進み、ミストモードが実行されていない場合ステップＳＣ１３に進む。
【０１６７】
ステップＳＣ１０：ミストモードが実行されているので、オーディオ装置２００から出されているラジオ放送または音楽等の音量を、ミスト発生装置２のノズルユニット２ＡからのミストＭの噴出音を考慮して設定された音量であるミストレベルに調節する。
【０１６８】
ステップＳＣ１１：ミストモードが終了されたか否かを確認し、ミストモードが終了された場合ステップＳＣ１２に進み、ミストモードが終了されていない場合ステップＳＣ１１を繰り返す。
【０１６９】
ステップＳＣ１２：オーディオ装置２００から出されているラジオ放送または音楽等の音量を通常レベルに戻した後（調節した後。）ステップＳＣ１３に進む。
【０１７０】
ステップＳＣ１３：オーディオ装置２００がＯＦＦ状態とされたか否かを確認し、ＯＦＦ状態とされていない場合ステップＳＣ１に戻り、ＯＦＦ状態とされた場合図１５のフローチャートを終了する。
【０１７１】
ここで、具体的な場面の例を以下に述べる。
【０１７２】
利用者が、浴室１０１に入り、ミスト操作部５を操作してオーディオ装置２００をＯＮ状態としてラジオ放送を聴きはじめた後、ミスト操作部５を操作してミストサウナモードを選択した場合、図１５のフローチャートのステップＳＣ１からステップＳＣ２へ進むこととなり、ラジオ放送の音量が自動的にミストサウナレベルに調節される。このため、利用者は、ミスト発生装置２のノズルユニット２ＡからのミストＭの噴出音と、暖房運転を行っている浴室空調装置３の動作音とにより、ラジオ放送が聴こえづらくなることはなく、ラジオ放送を心地好く聴きながら温かいミストを浴びることができる。
【０１７３】
また、ミスト操作部５を操作してミストサウナモードを選択して温かいミストを浴びている際に、ラジオ放送を聴こうとしてオーディオ装置２００をＯＮ状態とした場合、上述と同様に、図１５のフローチャートのステップＳＣ１からステップＳＣ２へ進むこととなり、通常レベルで流され始めたラジオ放送の音量が、直ちに自動的にミストサウナレベルに調節される。このため、利用者は、ミスト発生装置２のノズルユニット２ＡからのミストＭの噴出音と、暖房運転を行っている浴室空調装置３の動作音とに邪魔されることはなく、ラジオ放送を心地好く聴きながら温かいミストを浴びることができる。
【０１７４】
他の運転モードを選択した場合であっても、暖房モードであれば暖房レベルに、ミストモードであればミストレベルに、適宜設定されることとなるので、いずれの運転モードを実行した場合であっても各運転モードに適した音量でラジオ放送または音楽等を聴くことができる。
【０１７５】
このように、浴室空調システム１Ａでは、ミスト操作部５が操作されてオーディオ装置２００がＯＮ状態とされると、オーディオ制御部２０６が図１５のフローチャートに沿った制御を実行するので、各運転モードの実行の如何に拘わらず、利用者は、設定された運転モードを利用しつつラジオ放送または音楽等を心地好く聴くことができる。すなわち、浴室空調システム１Ａでは、ミスト発生装置２および／または浴室空調装置３が動作している場合にはそれらから出される音を考慮した音量でラジオ放送または音楽等が流され、ミスト発生装置２および浴室空調装置３が動作していない場合にはそれらから出される音がないことを考慮した音量でラジオ放送または音楽等が流されるので、利用者は、各運転モードの実行の如何に拘わらず、ラジオ放送または音楽等を心地好く聴くことができる。
【０１７６】
なお、上記した実施例では、オーディオ制御部２０６は、予め設定された通常レベル、ミストサウナレベル、暖房レベルおよびミストレベルの中から適合するものを選択することにより音量の調節を行っていたが、ミスト発生装置２および浴室空調装置３の動作に応じて音量を調節するものであればよく、上記した実施例に限定されるものではない。例えば、オーディオ制御部２０６は、浴室１０１における雑音（例えば、すべての音からオーディオ装置２００から出されたものを除いたもの。）を検出し、当該検出された音の音量に応じて適宜調節するものであってもよい。
【０１７７】
また、通常レベル、ミストサウナレベル、暖房レベルおよびミストレベルの相関関係を予め設定して、ミスト発生装置２のノズルユニット２ＡからのミストＭが噴出されてなくかつ浴室空調装置３が動作していない時点で出されていた音量、あるいは運転モードが選択された時点で出されていた音量を基準（通常レベル。）として、相対的に適宜音量の調節を行うものであってもよい。
【０１７８】
上記した実施例では、ミストサウナモード、暖房モードおよびミストモードが設定され、各運転モードに応じて音量が調節されていたが、各運転モードは上記した実施例に限定されるものではなく、各運転モードに動作する装置の動作音を考慮して音量を調節するものであればよい。
【０１７９】
上記した実施例では、各スピーカー２０１がノズルユニット２Ａの一部として組み込まれていたが、オーディオ装置２００がミスト発生装置２の動作に応じて音量を調節するものであればよく、上記した実施例に限定されるものではない。
【０１８０】
上記した実施例では、ミスト発生装置２とオーディオ装置２００とに加えて浴室空調装置３が設けられた構成とされ、オーディオ装置２００から出される音がミストサウナモード、暖房モードおよびミストモードのそれぞれに応じた音量に調節するように設定されていたが、ミスト発生装置２とオーディオ装置２００とが設けられた構成とし、ミスト発生装置２の動作すなわちミストの噴出の有無に応じてオーディオ装置２００から出される音の音量を調節するものであってもよい。
【０１８１】
上記した実施例では、各運転モードに応じてオーディオ装置２００からの音量を自動的に調節するように構成されていたが、主操作部６およびミスト操作部５の少なくとも一方に自動音量調節装置解除ボタンを設け、当該自動音量調節装置解除ボタンにより自動音量調節を行う場合と行わない場合とを切替可能な構成として、自動音量調節機能の有無を選択できるようにしてもよい。
【産業上の利用可能性】
【０１８２】
本発明は、浴室やシャワー室等の加湿暖房を行う空調システムに適用される。
【図面の簡単な説明】
【０１８３】
【図１】本実施の形態の浴室空調システムの一例を示す構成図である。
【図２】ミスト発生装置を構成するノズルユニットの一例を示す構成図である。
【図３】ノズルユニットの一例を分解して示す斜視図である。
【図４】ミスト発生装置を構成する弁ユニットの一例を示す構成図である。
【図５】弁ユニットの動作説明図である。
【図６】弁ユニットの動作説明図である。
【図７】浴室空調装置の構成例及び動作例を示す断面図である。
【図８】浴室空調装置を下面側から見た斜視図である。
【図９】給湯装置の概要及び接続形態を示す構成図である。
【図１０】本実施の形態の浴室空調システムの制御系の一例を示す機能ブロック図である。
【図１１】ミスト操作部の一例を示す構成図である。
【図１２】主操作部の一例を示す構成図である。
【図１３】本実施の形態の浴室空調システムで実行されるミストサウナモードの一例を示すフローチャートである。
【図１４】排水運転の一例を示すフローチャートである。
【図１５】音量制御の一例を示すフローチャートである。
【符号の説明】
【０１８４】
１Ａ  （湯水噴出システムとしての）浴室空調システム
２  ミスト発生装置
３  浴室空調装置
５  （操作手段としての）ミスト操作部
６  （操作手段としての）主操作部
７  （ミスト制御手段としての）ミスト制御部
８  （空調制御手段としての）空調制御部
２００  オーディオ装置
２０１  スピーカー
２０６  （音制御手段としての）オーディオ制御部
【図１】
2008002751.tif 000003
【図２】
2008002751.tif 000004
【図３】
2008002751.tif 000005
【図４】
2008002751.tif 000006
【図５】
2008002751.tif 000007
【図６】
2008002751.tif 000008
【図７】
2008002751.tif 000009
【図８】
2008002751.tif 000010
【図９】
2008002751.tif 000011
【図１０】
2008002751.tif 000012
【図１１】
2008002751.tif 000013
【図１２】
2008002751.tif 000014
【図１３】
2008002751.tif 000015
【図１４】
2008002751.tif 000016
【図１５】
2008002751.tif 000017